【手続補正書】
【提出日】令和2年3月4日(2020.3.4)
【手続補正１】
【補正対象書類名】明細書
【補正対象項目名】００７９
【補正方法】変更
【補正の内容】
【００７９】
さらに、特に断らない限り、本出願に現れる全ての数値は、用語「約」によって修飾されていると理解されるべきである。本発明のプロセス及び装置は、様々な方法で実施することが可能であり、そのうちのほんのいくつかが上に例示され説明されていることを理解されたい。以下、本発明の実施形態の例を列記する。
［１］
金属基材と、
前記金属基材に隣接する電解質層と、
少なくとも１つのガスケットとを含む、
金属で支持された固体酸化物型燃料電池であって、
前記ガスケットを通して、流体が、前記金属で支持された固体酸化物型燃料電池に及び／又は前記燃料電池から供給され、
前記電解質層は、前記金属基材の腐食を防止する非多孔質の保護被膜を提供し、
前記電解質層の少なくとも一部は、前記基材と前記ガスケットとの間、及び／又は前記ガスケットに近接した領域中の前記金属基材上に配置されている、燃料電池。
［２］
前記電解質層は、前記基材と前記ガスケットとの間に配置されている、項目１に記載の燃料電池。
［３］
前記電解質層は、前記ガスケットに近接した領域中の前記基材上に配置されている、項目１又は２に記載の燃料電池。
［４］
保護性非多孔質バリア層をさらに備え、前記電解質層が前記バリア層と前記基材との間に配置されている、項目１〜３のいずれか一項に記載の燃料電池。
［５］
金属基材と、
少なくとも１つのガスケットと、
前記基材の腐食を防止するための保護性非多孔質バリア層とを含む、
金属で支持された固体酸化物型燃料電池であって、
前記ガスケットを通して、流体が、前記電池に及び／又は前記電池から供給され、
前記バリア層の少なくとも一部は、前記ガスケットに近接した領域において前記基材上に配置されている、燃料電池。
［６］
前記バリア層は、前記ガスケットに近接した領域中で、かつ前記基材と前記ガスケットとの間で、前記基材上に配置されている、項目４又は５に記載の燃料電池。
［７］
前記基材が鉄を含む、項目１〜６のいずれか一項に記載の燃料電池。
［８］
前記基材がフェライト系ステンレス鋼を含む、項目７に記載の燃料電池。
［９］
前記電解質が酸化セリウムガドリニウムを含む、項目１〜８のいずれか一項に記載の燃料電池。
［１０］
前記酸化セリウムガドリニウムがコバルトをさらに含む、項目９に記載の燃料電池。
［１１］
前記ガスケットが腐食促進剤を含む、項目１〜１０のいずれか一項に記載の燃料電池。
［１２］
前記腐食促進剤が、第Ｉ族元素、第ＶＩＩ族元素、ケイ素、硫黄、又はこれらの組み合わせから選択される、項目１１に記載の燃料電池。
［１３］
バリア層が酸素不浸透性材料を含む、項目４〜１２のいずれか一項に記載の燃料電池。
［１４］
前記バリア層の厚さが１μｍ〜５００μｍの範囲内にある、項目４〜１３のいずれかに記載の燃料電池。
［１５］
前記バリア層が４５０℃以上の融点を有する、項目１〜１４のいずれか一項に記載の燃料電池。
［１６］
項目１〜１５のいずれか一項に記載の燃料電池を２つ以上含む、燃料スタック。
［１７］
項目１〜１５のいずれか一項に記載の燃料電池の製造方法であって、
ｉ）基材を提供する工程と、
ｉｉ）前記基材に保護性の非多孔質層を適用する工程と、
ｉｉｉ）前記基材に隣接した前記燃料電池にガスケットを適用する工程とを含み、
前記保護性の非多孔質層は、ガスケットに近接した領域の少なくとも一部に適用される、燃料電池。
［１８］
工程ｉ）とｉｉ）の間で、前記基材にアノード層を適用する工程をさらに含む、項目１７に記載の方法。
［１９］
工程ｉｉ）の後に、保護性の非多孔質層にカソード層を適用する工程をさらに含む、項目１７又は１８に記載の方法。
［２０］
工程ｉｉ）において適用された保護性の非多孔質層が、ガスケットと基材との間の領域にも適用される、項目１７〜１９のいずれか一項に記載に記載の方法。
［２１］
前記保護性の非多孔質層がバリア層である、項目１７〜２０のいずれか一項に記載の方法。
［２２］
前記保護性の非多孔質層が電解質層である、項目１７〜２０のいずれか一項に記載の方法。
［２３］
ガスケットと電解質層との間の領域において、工程ｉｉ）の電解質にバリア層を適用する工程をさらに含む、項目２２に記載の方法。
［２４］
電気の生産における、項目１〜１６のいずれか一項に記載の燃料電池又は燃料電池スタックの使用。
［２５］
添付の図面及び説明を参照して本明細書に記載された燃料電池、燃料電池スタック、プロセス、又は使用。
【手続補正２】
【補正対象書類名】特許請求の範囲
【補正対象項目名】全文
【補正方法】変更
【補正の内容】
【特許請求の範囲】
【請求項１】
金属基材と、
前記金属基材に隣接する電解質層と、
少なくとも１つのガスケットとを含む、
金属で支持された固体酸化物型燃料電池であって、
前記ガスケットを通して、流体が、前記金属で支持された固体酸化物型燃料電池に及び／又は前記燃料電池から供給され、
前記電解質層は、前記金属基材の腐食を防止する非多孔質の保護被膜を提供し、
前記電解質層の少なくとも一部は、前記基材と前記ガスケットとの間、及び／又は前記ガスケットに近接した領域中の前記金属基材上に配置されている、燃料電池。
【請求項２】
前記電解質層は、前記基材と前記ガスケットとの間に配置されている、請求項１に記載の燃料電池。
【請求項３】
前記電解質層は、前記ガスケットに近接した領域中の前記基材上に配置されている、請求項１又は２に記載の燃料電池。
【請求項４】
前記電解質層の少なくとも一部は、前記ガスケットから２ｍｍ以下の領域中の前記金属基材上に配置されている、請求項３に記載の燃料電池。
【請求項５】
前記電解質層の少なくとも一部は、前記ガスケットから１ｍｍ以下の領域中の前記金属基材上に配置されている、請求項４に記載の燃料電池。
【請求項６】
前記電解質層は、前記金属基材の空気側を被覆しており、前記固体酸化物型燃料電池のガスケットと活性領域との間の領域を覆っている、請求項３に記載の燃料電池。
【請求項７】
前記電解質層が前記固体酸化物型燃料電池の前記活性領域と前記金属基材との間に位置するように、前記電解質層は前記固体酸化物型燃料電池の前記金属基材の表面全体上に位置する、請求項１〜６のいずれか一項に記載の燃料電池。
【請求項８】
前記電解質層が、前記固体酸化物型燃料電池の前記活性領域のカソードとアノードとの間の電解質を形成するのに使用されるものと同じ電解質層である、請求項１〜７のいずれか一項に記載の燃料電池。
【請求項９】
前記電解質層が、第一の電解質層と第二の電解質層とを含み、前記第一の電解質層は、前記固体酸化物型燃料電池の前記活性領域と前記金属基材との間に位置するように、前記固体酸化物型燃料電池の前記金属基材の表面全体上に位置する電解質層を含み；前記第二の電解質層は、前記固体酸化物型燃料電池の前記活性領域の前記カソードと前記アノードとの間の電解質を形成するのに使用されるものと同じ電解質層を含み；そして、前記第二の電解質層は、前記カソードと前記アノードとの間から伸びて前記第一の電解質層を覆う、請求項８に記載の燃料電池。
【請求項１０】
前記電解質層が、２μｍ超の厚さ、任意に５μｍ超の厚さを有する、請求項１〜９のいずれか一項に記載の燃料電池。
【請求項１１】
前記ガスケットは前記金属基材上に直接取り付けられ、前記電解質層は、ＳＯＦＣの電気化学的活性領域、ならびにガスケットに近接するそれらの領域を覆っている、請求項３に記載の燃料電池。
【請求項１２】
前記電解質が酸化セリウムガドリニウムを含む、請求項１〜１１のいずれか一項に記載の燃料電池。
【請求項１３】
前記酸化セリウムガドリニウムがコバルトをさらに含む、請求項１２に記載の燃料電池。
【請求項１４】
前記ガスケットが腐食促進剤を含む、請求項１〜１３のいずれか一項に記載の燃料電池。
【請求項１５】
前記腐食促進剤が、第Ｉ族元素、第ＶＩＩ族元素、ケイ素、硫黄、又はこれらの組み合わせから選択される、請求項１４に記載の燃料電池。
【請求項１６】
請求項１〜１５のいずれか一項に記載の燃料電池を２つ以上含む、燃料スタック。
【請求項１７】
請求項１〜１５のいずれか一項に記載の燃料電池の製造方法であって、
ｉ）前記金属基材を提供する工程と、
ｉｉ）前記基材に前記電解質層を含む保護性の非多孔質被膜を適用する工程と、
ｉｉｉ）前記基材に隣接した前記燃料電池にガスケットを適用する工程とを含み、
前記保護性の非多孔質層は、ガスケットに近接した領域の少なくとも一部に適用される、燃料電池。
【請求項１８】
工程ｉｉ）における被膜は、前記固体酸化物型燃料電池のカソード層とアノード層との間に主要な電解質層を形成するのと同じ被膜として適用される、請求項１７に記載の方法。